(57)【要約】複数の一時欠陥管理領域（ＴＤＭＡｓ）を用いた光記録媒体の欠陥管理方法であって、欠陥管理情報は、光記録媒体（例えば、追記可能型ブルーレイ・ディスク）の所定の領域内に記録され、一時欠陥管理領域のうち最後の欠陥管理領域の位置を特定する情報を含み、最新の情報を含む最近の記録領域を示す。欠陥管理情報は、ディスクの使用状況に応じて、２つの一時欠陥管理領域のうちどちらか一方に記録（更新）される。すなわち、ディスクの使用中における欠陥管理情報があるＴＤＭＡに記録され、ディスクの取出時の欠陥管理情報が他のＴＤＭＡに記録される。このため、ディスクの取出時には、ディスクの使用中に発生した最後の欠陥管理情報が記録される。
2006518908.tif 000002
【特許請求の範囲】
【請求項１】
複数の一時欠陥管理領域を備える追記可能型光記録媒体における欠陥管理方法であって、前記複数の一時欠陥管理領域のうち少なくとも１の領域内にディスク定義構造情報を記録するステップを含み、前記ディスク定義構造情報は、連続的に更新される欠陥管理情報と、前記連続的に更新される欠陥管理情報にアクセスするための位置情報とを含むことを特徴とする光記録媒体の欠陥管理方法。
【請求項２】
前記位置情報は、前記複数の一時欠陥管理領域のうちいずれか１つに対応することを特徴とする請求項１に記載の光記録媒体の欠陥管理方法。
【請求項３】
前記位置情報は、前記複数の一時欠陥管理領域のそれぞれに対応することを特徴とする請求項１に記載の光記録媒体の欠陥管理方法。
【請求項４】
前記一時欠陥管理領域の数は、２つであることを特徴とする請求項１に記載の光記録媒体の欠陥管理方法。
【請求項５】
前記複数の一時欠陥管理領域は、記録中に前記連続的に更新されるディスク管理情報を記録する第１の一時欠陥管理領域と、記録完了後に前記連続的に更新されるディスク管理情報を記録する第１の一時欠陥管理領域とを含むことを特徴とする請求項１に記載の光記録媒体の欠陥管理方法。
【請求項６】
前記位置情報は、前記光記録媒体の所定の領域内に記録されることを特徴とする請求項５に記載の光記録媒体の欠陥管理方法。
【請求項７】
前記光記録媒体の所定の領域は、前記第１の一時欠陥管理領域および前記第２の一時欠陥管理領域のうちどちらか一方であることを特徴とする請求項６に記載の光記録媒体の欠陥管理方法。
【請求項８】
前記ディスク定義構造情報は、ディスク定義構造情報が毎記録時ごとに更新される値を有するカウンタをさらに含むことを特徴とする請求項５に記載の光記録媒体の欠陥管理方法。
【請求項９】
前記第２の一時欠陥管理領域内に記録されたカウンタの最大値が、前記第１の一時欠陥管理領域内に記録されたカウンタの最大値よりも小さい場合に、記録中に連続的に更新される欠陥管理情報の前記第２の一時欠陥管理領域内への記録の直後に実行される欠陥管理を行うステップをさらに含むことを特徴とする請求項８に記載の光記録媒体の欠陥管理方法。
【請求項１０】
前記第２の一時欠陥管理領域内に記録されたカウンタの最大値が、前記第１の一時欠陥管理領域内に記録されたカウンタの最大値よりも小さい場合に、記録中に連続的に更新される欠陥管理情報の前記第２の一時欠陥管理領域内への記録の前に実行される欠陥管理を行うステップをさらに含むことを特徴とする請求項８に記載の光記録媒体の欠陥管理方法。
【請求項１１】
複数の一時欠陥管理領域を備える追記可能型光記録媒体であって、
欠陥管理情報は、前記一時欠陥管理領域のうち少なくとも１以上の領域内に、連続的に更新されて記録されることを特徴とする追記可能型光記録媒体。
【請求項１２】
前記連続的に更新される欠陥管理情報は、前記一時欠陥管理領域内の各々に記録されることを特徴とする請求項１１に記載の追記可能型光記録媒体。
【請求項１３】
前記複数の一時欠陥管理領域は、記録中に連続的に更新されるディスク管理情報を記録する第１の一時欠陥管理領域と、記録完了時に連続的に更新されるディスク管理情報を記録する第２の一時欠陥管理領域とを含むことを特徴とする請求項１１に記載の追記可能型光記録媒体。
【発明の詳細な説明】
【技術分野】
【０００１】
本発明は、光記録媒体に関し、より詳細には、複数の一時欠陥管理領域を用いた光記録媒体の欠陥管理方法及びこれを用いた光記録媒体に関する。
【背景技術】
【０００２】
光ディスクは、長い年月の間大容量のデータを保存するための記録媒体として用いられてきている。この種の記録媒体は、大きく２種類、すなわち、書換可能型ディスク（rewritable disc）と追記可能型ディスク（write-once type disc）とに大別できる。追記可能型ディスクを用いてデータを記録する場合には、ディスク内のいかなる領域にも単に１回しか記録ができない。これに対し、書換可能型ディスクは、特に欠陥領域の管理の観点から、追記可能型ディスクよりは一層柔軟性を有する。欠陥領域は、製造当時または製造後に光記録媒体の表面にできた傷であって、１つまたは複数のクラスタ上へのデータの記録が禁じられる。
【０００３】
もし、光ディスクにデータを記録する間に欠陥領域が検出されれば、欠陥領域に書き込まれたデータは、製造者によって指定された代替領域に書き換えられる。同時に、欠陥領域及び代替記録領域を示す位置情報をそのディスクの欠陥に関する欠陥管理情報として欠陥管理領域（ＤＭＡ：Ｄｅｆｅｃｔ Ｍａｎａｇｅｍｅｎｔ Ａｒｅａ）内に記録する。このため、ディスク記録面に欠陥が存在するとしても、ディスクに記録されたデータが再生可能になる。
【０００４】
しかしながら、この種の技術は、通常、全てのデータ記録領域に自由にアクセスできる書換可能型ディスクに適用することができる。このため、比較的に小さなＤＭＡを用いて必要な欠陥管理をすることができ、高速の書き込みを可能にする。しかし、追記可能型ディスクは、本質的な記録特性の制限により、大きなＤＭＡとより複雑な欠陥管理を必要とする。その結果、データの記録動作により多くの時間がかかる。
【０００５】
新規なタイプの高密度光記録媒体（ＨＤ−ＤＶＤ）が高画質のオーディオデータ及びビデオデータの記録及び保存用に開発されている。例えば、ＨＤ−ＤＶＤ記録媒体にはブルーレイ・ディスクがあるが、これは、青色レーザ（４０５ｎｍ）を用いるために名付けられたものである。この青色レーザは、既存のＤＶＤに用いられていた赤色レーザ（６５０ｎｍ）よりも一層稠密であるため、標準的なサイズの光ディスク上により大容量のデータを保存することが可能である。追記可能型ブルーレイ・ディスク（ＢＤ−ＷＯ）及び書換可能型ブルーレイ・ディスク（ＢＤ−ＲＥ）を含む上記技術の規格化が進んでいるが、特に、記録動作中における欠陥領域の検出及び管理に関する規格が開発中である。
【０００６】
肝要なのは、追記可能型ディスク（例えば、ＢＤ−ＷＯディスク）において欠陥管理を行うための規格は、書換可能型ディスク（例えば、ＢＤ−ＲＥ）を用いた欠陥管理方法を考慮すべきであるという点である。このため、特定フォーマットの規格化は、相異なるフォーマットの規格に共通する特徴をできる限り多く包括する方向に行われなければならない。これは、安定したデータの再生動作を容易に行うために欠陥管理情報の効率的な記録を追及する一方で、一貫性及び互換性を保持するためである。
【０００７】
最近、特にブルーレイ・ディスクのような高密度ＤＶＤでは、データを記録している間における、欠陥領域の管理が極めて重要な問題となるが、現在のＢＤ−ＷＯ規格は、これを解決するには不十分である。このため、光データストレージに対するコマーシャルシステムの進歩的な要求に適応することができる統一規格が必要である。
【発明の開示】
【発明が解決しようとする課題】
【０００８】
そこで、本発明は、上記関連技術の制限及び不利点による問題の１つまたは複数を十分に解決する光記録媒体のための欠陥管理方法及びこれを用いた光記録媒体を対象とする。
【０００９】
上記問題点を解決するために、本発明の目的は、欠陥管理情報を（追記可能型ブルーレイ・ディスクなどの）光記録媒体の複数の一時欠陥管理領域内に記録して、一時欠陥管理領域のうちの最後または最新の欠陥管理領域の位置を指定し、最後に記録された領域を示し、現在の記録領域を含む情報を含める方法及び装置を提供することにある。
【００１０】
また、本発明の別の目的は、記録時間を短縮できる光記録媒体の欠陥管理方法を提供することにある。
【００１１】
さらに、本発明の別の目的は、リアルタイム記録を容易にする光記録媒体の欠陥管理方法を提供することにある。
【００１２】
さらに、本発明の別の目的は、追記可能型光記録媒体のための統一規格を提供することにある。
【００１３】
さらに、本発明の別の目的は、書換可能型光記録媒体と互換性のあるような規格にある。
【００１４】
さらに、本発明の別の目的は、追記可能型光記録媒体へデータを記録している間における、欠陥領域の管理のためのより効率的な方法を提供するところにある。
【００１５】
さらに、本発明の別の目的は、データのセキュリティ及び完全性が高まる、光記録媒体への記録方法を提供するところにある。
【００１６】
さらに、本発明の別の目的は、次バージョンの媒体に適用可能な、光記録媒体に管理情報を記録する方法を提供するところにある。
【００１７】
さらに、本発明の別の目的は、前記方法を適用可能な光記録媒体を提供するところにある。
【００１８】
本発明の別の特徴及び利点は、以下に詳細に記載されており、一部は以下を調査することで当業者には明らかになり、あるいは本発明の実施から学ぶことができる。本発明の目的及び他の利点は、特に明細書、特許請求の範囲、及び添付の図面に示される対象により理解され達成することができる。
【課題を解決するための手段】
【００１９】
本発明によれば、上記目的及び利点を達成するために、本明細書に例示され概略的に説明されるように、複数の一時欠陥管理領域を備える追記可能型光記録媒体のための欠陥管理方法が提供され、該欠陥管理方法は、前記複数の一時欠陥管理領域のうちの少なくとも１つに、連続的に更新される欠陥管理情報と前記連続的に更新される欠陥管理情報にアクセスするための位置情報とを含むディスク定義構造情報を記録するステップを含む。また、前記複数の一時欠陥管理領域は、記録中に前記連続的に更新されるディスク管理情報を記録する第１の一時欠陥管理領域と、記録完了後に前記連続的に更新されるディスク管理情報を記録する第２の一時欠陥管理領域と、を含むことを特徴とする。
【００２０】
本発明の別の側面では、複数の一時欠陥管理領域を備えた追記可能型光記録媒体が提供され、欠陥管理情報が、前記一時欠陥管理領域のうち少なくとも１以上の領域内に連続的に更新されて記録されることを特徴とする。
【００２１】
以下、追記可能型ブルーレイ・ディスクを例にとって、本発明を説明するが、本発明の方法及び装置は、他の追記可能型光記録媒体にも同様に適用可能である。さらに、本発明はＢＤ−ＷＯフォーマットを使用する追記可能型光ディスクに適しているが、本発明の基本原理は、他のフォーマットを使用する光ディスクに適用して、データのセキュリティ及び完全性を高めることができる。さらには、本発明の実施の形態は、単一層の光記録媒体を例に説明されているが、本発明のディスク構造及び欠陥管理方法は、２つの主ＴＤＭＡと３つの付加ＴＤＭＡを用いる２層の光記録媒体にも適用可能である。
【００２２】
なお、本発明に関する上述した内容と後述する説明は、本発明を説明するための一つの典型的でかつ例示的なものとして理解さるべきである。
【００２３】
本発明の更なる目的及び利点は、添付の図面とともに以下の詳細な説明からより完全に理解される。
【発明を実施するための最良の形態】
【００２４】
以下、添付した図面を参照して、本発明の好ましい実施の形態を詳述する。その例は添付の図面に示されている。
【００２５】
図１は、例えば、ブルーレイ・ディスクなどの追記可能型光ディスクの記録領域を示し、本発明による、光記録媒体のための欠陥管理方法を説明するためのものであって、欠陥管理情報が一時欠陥管理領域（ＴＤＭＡ）内に記録されることを示している。光ディスクは、光記録媒体の各層ごとに複数のＴＤＭＡを備え、各ＴＤＭＡは少なくとも１つのクラスタを含む。
【００２６】
それぞれのＴＤＭＡは一時ディスク定義構造（ＴＤＤＳ）情報と一時欠陥リスト（ＴＤＦＬ）を含む。それらは典型的には並んで記録されるが、本発明の目的を考慮して、ＴＤＦＬに関する特定の説明及び図面は省いている。特に、ＴＤＤＳ情報は、連続的に更新されるカウンタ情報の他に、最近発生した欠陥管理に対応する位置情報（すなわち、物理セクタ番号（ＰＳＮ））を含む。このようにして、欠陥管理情報は、最新の欠陥管理の位置情報に基づいて記録・再生される。このために、最新の欠陥管理を示す位置情報は、ＴＤＭＡ内の新しいフィールド、例えば、”ｆｉｒｓｔ ＰＳＮ ｏｆ ｔｈｅ ｌａｓｔ ＴＤＤＳ”の形式のような新しいフィールドに記録され、フィールド毎に４バイトを占める。
【００２７】
本発明の第１の実施の形態は、位置情報が全てのＴＤＭＡのうち最後に記録されたＴＤＤＳを指示するために１つのみ記録される。本発明の第２の実施の形態は、位置情報がそれぞれのＴＤＭＡごとに最後に記録されたＴＤＤＳを指示するために複数に記録される。ここで、２つのＴＤＭＡ、すなわち、ＴＤＭＡ１及びＴＤＭＡ２を想定すれば、ＴＤＤＳ情報は、”ＴＤＭＡ１の最後に記録されたＴＤＤＳの最初のＰＳＮ情報”及び”ＴＤＭＡ２の最後に記録されたＴＤＤＳの最初のＰＳＮ情報”を含む。いずれの場合も、例えば、位置情報の記録は、欠陥管理を行う度に実行されまた、現在のＴＤＤＳの位置に対応している。
【００２８】
さらに、ＴＤＤＳの更新カウンタは、ＴＤＤＳが記録される度に更新される。すなわち、追記可能型光ディスクにおいて、欠陥管理が行われる度、あるいは記録領域を節約するために所望のインターバルで更新が行われる。すなわち、ＴＤＤＳは、所定の記録容量分を記録してから更新してもよく、以前の更新から所定の時間が経過した後に更新してもよく、あるいは、例えば、ディスクの取出命令を含む、要因の組合せに基づいて更新しても良い。
【００２９】
図１の実施の形態によれば、光記録媒体の記録領域は、リードイン領域ＬＩＡ０、データ領域及びリードアウト領域ＬＯＡ０に区分され、データ領域は、ユーザデータ領域及び両端に設けられたインナースペア領域ＩＳＡ０とアウタースペア領域ＯＳＡ０を含む。ＴＤＭＡ２はアウタースペア領域ＯＳＡ０内に設けられ、記録中に起こるＴＤＤＳの更新はＴＤＭＡ２内に記録される。ディスクの取出命令時には、一つのＴＤＤＳの更新が、リードイン領域ＬＩＡ０内のＴＤＭＡ１に記録される。
【００３０】
通常、ＴＤＭＡ内における記録は、下記の２種類の方法のうちどちらか一方により行われる。一つは、ＴＤＭＡ２が使用可能な場合、すなわち、ＴＤＭＡ２がいっぱいまで記録されておらず、ＴＤＭＡ２内に記録のために使用可能な未記録領域が残っている場合を意味する。もう一つは、ＴＤＭＡ２が使用可能でない場合、すなわち、ＴＤＭＡ２が既にいっぱいまで記録されており、ＴＤＭＡ２内にそれ以上使用可能な未記録領域が残っておらず、欠陥管理が中止される場合を意味する。もし、ＴＤＭＡ２が記録のために使用可能でないか、あるいは、ディスク内にＴＤＭＡ２が設けられていなければ、欠陥管理を行うことができない。
【００３１】
ＴＤＭＡ２が使用可能であると仮定するとき、ＴＤＭＡ内の記録動作には２種類がある。すなわち、記録中に記録する場合と、記録完了後に記録する場合である。記録中には、ＴＤＤＳ情報を更新する度にＴＤＭＡ２内に欠陥管理情報が記録される。その後、ディスクを取り出す直前に、記録中にＴＤＭＡ２内に記録された欠陥管理情報をＴＤＭＡ１内に記録する最後の記録動作を行う。
【００３２】
本発明の第１の実施の形態によれば、ＴＤＭＡ１内に更新されたＴＤＤＳ情報を記録するとき、（継続的に更新される欠陥管理情報の現在の状態を示す）ＴＤＭＡ２内の最後の欠陥管理情報の位置情報が次のＴＤＤＳの一部としてＴＤＭＡ１内に記録される。すなわち、ＴＤＭＡ１内に記録された更新されたＴＤＤＳ情報の一部として含まれるのは、最後の欠陥管理が行われている位置情報であり、これは、ＴＤＭＡ２内に記録された現在の欠陥管理情報の位置を示す。すなわち、最後の欠陥管理を示す位置情報は以前のＴＤＤＳの記録位置を意味し、これは、ＴＤＤＳ内の更新カウンタにより特定可能である。すなわち、もし、ＴＤＭＡ１内に記録された最新のＴＤＤＳ内の更新カウンタ値を”Ｎ”としたとき、最後の欠陥管理が行われている位置情報、すなわち、ＴＤＭＡ２内に最後に記録されたＴＤＤＳ内の更新カウンタ値は”Ｎ−１”となる。これと関連し、ＴＤＤＳの更新カウンタは、ＴＤＭＡ１及びＴＤＭＡ２の両方において、ＴＤＤＳを記録する度にインクリメントされ更新される。
【００３３】
これに対し、ＴＤＭＡ２が記録に使用可能でないためにそれ以上欠陥管理情報が記録できなくなった場合には、ＴＤＭＡ１が欠陥管理情報を記録する領域として用いられる。もし、メーカによりアウタースペア領域ＯＳＡが割り当てられずにＴＤＭＡ２が存在しない場合には、欠陥管理情報は、例えば、ディスクの使用中（記録中）のみまたはディスクの取出時（記録完了後）のみなど、限られた方式により記録されるであろう。
【００３４】
図２Ａによれば、ＴＤＤＳ情報が記録中に２回更新されていることが分かり、これは、ＴＤＭＡ２内にそれぞれＴＤＤＳ１及びＴＤＤＳ２として記録される。この後、記録動作が終わってディスクの取出命令が発せられると、現在のＴＤＤＳ情報はＴＤＭＡ１内にＴＤＤＳ３として記録される。このように、ＴＤＤＳ３は最新の欠陥管理が行われている位置情報を含む。したがって、ＴＤＭＡ１内のＴＤＤＳ３はＴＤＭＡ２内に最後に記録されたＴＤＤＳの位置情報を含み、結果として、ＴＤＭＡ１は現在のＴＤＤＳ情報の位置を見つけるために読み出される領域となる。さらに、図２Ｂに示すように、次の記録動作が再開されると、ＴＤＭＡ内においてＴＤＤＳ４に更新され、記録動作が終わってディスクが取り出される場合には、更新回数とは無関係に、ＴＤＭＡ１内に次のＴＤＤＳ更新が記録される。例えば、ＴＤＤＳ５となり、これは、直前に記録されたＴＤＤＳ（例えば、ＴＤＤＳ４）の位置を示す位置情報を含むことになる。
【００３５】
ここで、連続する番号は、ＴＤＤＳの連続する更新を参照する。上記例に続けて記録が行われると、記録動作中にはＴＤＭＡ２内にＴＤＤＳが更新され、ディスクが取り出される直前にはＴＤＭＡ１内に最終の更新が行われる。このため、すなわち、ＴＤＭＡ１を読むことにより、最後に記録されたＴＤＤＳの更新値を確認し、読み出した値とＴＤＭＡ２内の最後に記録されたＴＤＤＳの更新カウンタ値を比較することにより、ディスクへの記録失敗のいかんも確認することが可能になる。
【００３６】
すなわち、図２Ｃは、ＴＤＤＳ５の記録が何らかの理由、例えば、電源遮断などの理由により正常に行われなかった場合を示している。このため、ＴＤＤＳ３（ＴＤＭＡ１内に最後に記録されたＴＤＤＳ）の更新カウンタ値はＴＤＤＳ４（ＴＤＭＡ２内に最後に記録されたＴＤＤＳ）の更新値よりも小さい。もし、正常状態であれば、ＴＤＭＡ１に最後に記録されたＴＤＤＳの更新カウンタ値は常時ＴＤＭＡ２に最後に記録されたＴＤＤＳの更新カウンタ値よりも大きくなければならない。
【００３７】
記録失敗を確認すれば、以降の記録動作は次の２種類のうちどちらか一方の方法により行われうる。
【００３８】
まず、最初の方法は、ＴＤＭＡ２内におけるＴＤＤＳの更新の後に通常必ず行われるのと同じようにして、次のＴＤＤＳ（すなわち、ＴＤＤＳ５またはディスク取出時のＴＤＤＳ情報）をＴＤＭＡ１内に記録することである。ＴＤＭＡ１に新たに記録される次のＴＤＤＳ情報は、ＴＤＭＡを読み、最大の更新カウンタ値を判定することにより知ることができる。連続的に更新されるＴＤＤＳ情報は、常に前のＴＤＤＳの位置情報を含むので、ディスクの取出時に情報が失われたとしても、復旧することが可能になる。もう一つの方法は、単に後続の記録動作を行うことである。すなわち、この場合、ディスクの取出時のＴＤＤＳ情報の記録をスキップし、必要に応じてＴＤＭＡ２内にＴＤＤＳを記録し、その後、ＴＤＭＡ２内に最後に記録されたＴＤＤＳに基づいて欠陥管理動作を行いう。
【００３９】
図３Ａ及び図３Ｂは、ディスクの取出時のＴＤＤＳ情報を記録するそれぞれの方法を示している。図３Ａによれば、ディスクの取出時のＴＤＤＳ情報はＴＤＭＡ１にのみ記録される。しかし、図３Ｂによれば、ディスクの取出時のＴＤＤＳ情報は両方のＴＤＭＡ１に記録される。いずれにせよ、最後の欠陥管理情報はディスクが取り出されるときに記録される。
【００４０】
本発明に係る更新されたＴＤＤＳを記録する第２の実施の形態では、位置情報をそれぞれのＴＤＭＡ内に記録することにより、位置情報がそれぞれのＴＤＭＡ内に最後に記録されたＴＤＤＳの位置情報を示す。図４に示すように、更新されたＴＤＤＳ情報は、第１の位置情報及び第２の位置情報をそれぞれ含み、これは、ＴＤＭＡ１及びＴＤＭＡ２にアクセスするための情報としてそれぞれ記録される。このように、各更新されたＴＤＤＳ情報内には、ＴＤＭＡ１及びＴＤＭＡ２内の最後の欠陥管理領域の位置情報が含まれることになる。
【００４１】
本発明のさらなる目的及びメリットは、本発明の詳細な説明と関連付けて説明される図面から一層明らかになる。図面の構成は、下記の通りである。
【産業上の利用可能性】
【００４２】
本発明によれば、欠陥管理情報は、２つの一時欠陥管理領域（ＴＤＭＡ）のうちどちらか一方に記録（または更新）される。すなわち、ディスクの使用状況に応じて、ディスクの使用中における欠陥管理情報は一方のＴＤＭＡに記録され、ディスクの取出時の欠陥管理情報が他のＴＤＭＡ内に記録される。このため、ディスクの使用中にあるＴＤＭＡ内に記録された最後の欠陥管理情報が、ディスクの取出時に他のＴＤＭＡ内に記録される。もし、ディスクの取出時に欠陥管理情報を記録するＴＤＭＡが使用可能でなければ、ディスクの使用中における欠陥管理情報があるＴＤＭＡにのみ記録され、ディスクの取出時に最後の欠陥管理情報が同じＴＤＭＡ内に記録される。いずれの場合も、最後の欠陥管理情報の記録成敗のいかんは、ディスクを再利用するときに、更新のカウンタ値に基づいて確認することができる。このため、最後の欠陥管理情報の記録の成敗いかんも確認・検証することが可能になる。
【００４３】
また、本発明の第１の実施の形態及び第２の実施の形態によれば、それぞれのＴＤＭＡ内の最後の欠陥管理の位置情報を用い、現在のＴＤＤＳ情報にアクセスすることが可能になる。これに対し、欠陥管理のためのスペア領域が割り当てられていない場合には、ＴＤＭＡ１内に記録される最後のＴＤＤＳの位置情報値を”０ｈ”に設定し、ＴＤＭＡ２がいっぱいまで記録された場合には、ＴＤＭＡ１内に記録される最後のＴＤＤＳの位置情報値を”Ｆｈ”に設定することにより、欠陥管理を不可能とすることもできる。
【００４４】
本発明の技術的な思想を逸脱しない範囲内であれば、各種の変更及び変形的な使用が可能であることは、本発明の技術分野における当業者にとって明らかである。よって、本発明の特許請求の範囲及びこれと均等な範囲内での変形的な使用は、本発明に属するものとして捉えるべきであることを明らかにしておきたい。
【図面の簡単な説明】
【００４５】
【図１】本発明に係る光記録媒体の欠陥管理方法を説明するための図である。
【図２Ａ】図１のＴＤＭＡの構造図であって、本発明の欠陥管理方法の正常動作を説明するための図である。
【図２Ｂ】図１のＴＤＭＡの構造図であって、本発明の欠陥管理方法の正常動作を説明するための図である。
【図２Ｃ】図１のＴＤＭＡの構造図であって、本発明の欠陥管理方法のエラー状態を説明するための図である。
【図３Ａ】図１のＴＤＭＡの構造図であって、欠陥管理情報を記録する方法を説明するための図である。
【図３Ｂ】図１のＴＤＭＡの構造図であって、欠陥管理情報を記録する方法を説明するための図である。
【図４】図１のＴＤＭＡの構造図であって、本発明の他の実施の形態により欠陥管理情報を記録する方法を説明するための図である。
【図１】
2006518908.tif 000003
【図２Ａ】
2006518908.tif 000004
【図２Ｂ】
2006518908.tif 000005
【図２Ｃ】
2006518908.tif 000006
【図３Ａ】
2006518908.tif 000007
【図３Ｂ】
2006518908.tif 000008
【図４】
2006518908.tif 000009
【国際調査報告】
2006518908.tif 000010
2006518908.tif 000011